(57)【特許請求の範囲】
【請求項１】
核医学用の診断を行うための各部品を全体で囲う核医学診断筐体と、Ｘ線ＣＴの断層撮像を行うための各部品を全体で囲うＸ線ＣＴ筐体とを備えた診断装置であって、前記装置は、前記核医学診断筐体と前記Ｘ線ＣＴ筐体とにまたがり、かつ両筐体を互いに取り付けるジョイントカバーを備えるとともに、各筐体は、水平方向に延出し、かつ前記ジョイントカバーを支持する第１支持部材と、ジョイントカバーを固定する第１固定部材とをそれぞれ備え、ジョイントカバーは、前記第１支持部材に接触し、かつ第１支持部材の水平方向にスライド可能に構成された第２支持部材と、前記第１固定部材に嵌合可能に構成された第２固定部材とを、各第１支持部材・第１固定部材ごとにそれぞれ備え、前記第２支持部材を第１支持部材に接触させることで第１支持部材はジョイントカバー本体を支持し、第１支持部材がジョイントカバー本体を支持した状態で前記第２固定部材を第１固定部材に嵌合させることで第１固定部材はジョイントカバー本体を固定して、固定されたジョイントカバーによって両筐体を互いに取り付けるようにそれぞれを構成しており、第１支持部材を各筐体本体に対して上下方向に調整可能にそれぞれ配設することを特徴とする診断装置。
【発明の詳細な説明】
【技術分野】
【０００１】
この発明は、核医学用の診断を行うための各部品を全体で囲う核医学診断筐体と、Ｘ線ＣＴの断層撮像を行うための各部品を全体で囲うＸ線ＣＴ筐体とを備えた診断装置に関する。
【背景技術】
【０００２】
核医学診断、すなわちＥＣＴ(Emission Computed Tomography)として、ＰＥＴ(Positron Emission Tomography)を例に採って説明する。ＰＥＴでは、診断を行うための各部品（シンチレータブロックやフォトマルチプライヤなど）を全体で囲う筐体状のＰＥＴガントリを備えている。Ｘ線ＣＴでは、ＰＥＴガントリと同様に、Ｘ線ＣＴの断層撮像を行うための各部品（Ｘ線管やＸ線検出器など）を全体で囲う筐体状のＣＴガントリを備えている。ＰＥＴガントリとＣＴガントリとを組み合わせた診断装置の場合には、各ガントリを被検体の体軸方向に並べて配設し、被検体の同一断層面についてＸ線ＣＴの断層撮像を行うとともに、核医学用の診断を行う（例えば、特許文献１参照）。
【０００３】
各ガントリは、前面、背面、側面および上面のカバーを組み合わせて構成されている（例えば、特許文献２参照）。かかるＰＥＴガントリやＣＴガントリを組み合わせる場合には、（１）図８（ａ）の側面図に示すように、ＰＥＴガントリ１１０およびＣＴガントリ１２０の各ガントリをカバーで構成する構造、あるいは（２）図８（ｂ）の側面図に示すように各ガントリを並べて組み合わせた後に両ガントリ全体をカバー１３０でさらに囲う構造がある。
【特許文献１】特開平７−２０２４５号公報（第３頁、図１）
【特許文献２】特開平９−１４９８９９号公報（第２，３頁、図１）
【発明の開示】
【発明が解決しようとする課題】
【０００４】
しかしながら、上記（１）（図８（ａ）を参照）のように各ガントリをそれぞれ別のカバーで構成する場合には、ＰＥＴガントリとＣＴガントリとの間に隙間が存在し、隙間に物が落下したり、挟み込まれる可能性がある。また、上記（２）（図８（ｂ）を参照）のように全体をカバーで囲うと、２つのガントリを組み合わせているのでカバー自体が大きくなり、各ガントリの調整時の取り外しが困難となる。そこで、各ガントリがそれぞれのカバーを有しながら、両ガントリを互いに取り付けるジョイントカバーによって一体構成となるようにすると調整なども容易になるが、異なるガントリ間でジョイントカバーを取り付けるという調整が困難となる。
【０００５】
この発明は、このような事情に鑑みてなされたものであって、両筐体を容易に取り付けることができる診断装置を提供することを目的とする。
【課題を解決するための手段】
【０００６】
この発明は、このような目的を達成するために、次のような構成をとる。
すなわち、請求項１に記載の発明は、核医学用の診断を行うための各部品を全体で囲う核医学診断筐体と、Ｘ線ＣＴの断層撮像を行うための各部品を全体で囲うＸ線ＣＴ筐体とを備えた診断装置であって、前記装置は、前記核医学診断筐体と前記Ｘ線ＣＴ筐体とにまたがり、かつ両筐体を互いに取り付けるジョイントカバーを備えるとともに、各筐体は、水平方向に延出し、かつ前記ジョイントカバーを支持する第１支持部材と、ジョイントカバーを固定する第１固定部材とをそれぞれ備え、ジョイントカバーは、前記第１支持部材に接触し、かつ第１支持部材の水平方向にスライド可能に構成された第２支持部材と、前記第１固定部材に嵌合可能に構成された第２固定部材とを、各第１支持部材・第１固定部材ごとにそれぞれ備え、前記第２支持部材を第１支持部材に接触させることで第１支持部材はジョイントカバー本体を支持し、第１支持部材がジョイントカバー本体を支持した状態で前記第２固定部材を第１固定部材に嵌合させることで第１固定部材はジョイントカバー本体を固定して、固定されたジョイントカバーによって両筐体を互いに取り付けるようにそれぞれを構成しており、第１支持部材を各筐体本体に対して上下方向に調整可能にそれぞれ配設することを特徴とするものである。
【０００７】
［作用・効果］請求項1に記載の発明によれば、核医学診断筐体とＸ線ＣＴ筐体とにまたがり、かつ両筐体を互いに取り付けるジョイントカバーを備えている。各筐体は、水平方向に延出し、かつ上述したジョイントカバーを支持する第１支持部材と、ジョイントカバーを固定する第１固定部材とをそれぞれ備えている。また、ジョイントカバーは、上述した第１支持部材に接触し、かつ第１支持部材の水平方向にスライド可能に構成された第２支持部材と、上述した第１固定部材に嵌合可能に構成された第２固定部材とを、各第１支持部材・第１固定部材ごとにそれぞれ備えている。
【０００８】
上述した第２支持部材を第１支持部材に接触させることで第１支持部材はジョイントカバー本体を支持し、第１支持部材がジョイントカバー本体を支持した状態で上述した第２固定部材を第１固定部材に嵌合させることで第１固定部材はジョイントカバー本体を固定して、固定されたジョイントカバーによって両筐体を互いに取り付ける。もし、第２支持部材を第１支持部材に接触させる際に、ジョイントカバーの各筐体への取り付け位置が合わない、あるいは一方のガントリの第１支持部材の接触位置が合わないなどのように取り付け調整に支障を来たす場合には、第１支持部材を各筐体本体に対して上下方向に調整して、取り付け調整を行う。第１支持部材に対する上下方向の調整を行った後に、第２支持部材を第１支持部材に接触させてスライドさせ、ジョイントカバーによって両筐体を互いに取り付ける。この調整後の取り付け時には、第２支持部材が第１支持部材に接触されて上下方向に関して固定されているので、ジョイントカバーや各筐体を押さえて固定する必要はなく、固定した状態で取り付けることができる。その結果、両筐体を容易に取り付けることができる。
【発明の効果】
【０００９】
この発明に係る診断装置によれば、もし、第２支持部材を第１支持部材に接触させる際に取り付け調整に支障を来たす場合には、第１支持部材を各筐体本体に対して上下方向に調整して、取り付け調整を行う。第１支持部材に対する上下方向の調整を行った後に、第２支持部材を第１支持部材に接触させてスライドさせ、ジョイントカバーによって両筐体を互いに取り付ける。この調整後の取り付け時には、第２支持部材が第１支持部材に接触されて上下方向に関して固定されているので、ジョイントカバーや各筐体を押さえて固定する必要はなく、固定した状態で取り付けることができる。その結果、両筐体を容易に取り付けることができる。
【００１０】
以下、図面を参照してこの発明の実施例を説明する。
図１は、実施例に係る診断装置の概略斜視図であり、図２は、図１の分解斜視図である。なお、本実施例では、核医学診断として、ＰＥＴ(Positron Emission Tomography) を例に採って説明する。
【００１１】
実施例装置は、図１に示すように、核医学用の診断を行うための各部品（シンチレータブロックやフォトマルチプライヤなど）を全体で囲う筐体状のＰＥＴガントリ１０と、Ｘ線ＣＴの断層撮像を行うための各部品（Ｘ線管やＸ線検出器など）を全体で囲う筐体状のＣＴガントリ２０とを備えている。本実施例では、ＰＥＴガントリ１０およびＣＴガントリ２０を図１に示す位置に並べており、被検体（図示省略）の撮像部位に対してＣＴガントリ２０でＸ線ＣＴの断層撮像を行った後に、同じ撮像部位に対してＰＥＴガントリ１０で核医学用の診断を行う。ＰＥＴガントリ１０は、この発明における核医学診断筐体に相当し、ＣＴガントリ２０は、この発明におけるＸ線ＣＴ筐体に相当する。
【００１２】
ＰＥＴガントリ１０は、互いに近接配置された複数個のシンチレータブロック（図示省略）と複数個のフォトマルチプライヤ（図示省略）とを囲んで構成されている。シンチレータブロックおよびフォトマルチプライヤは、被検体の体軸周りを取り囲むようにしてリング状に配置されている。フォトマルチプライヤは、シンチレータブロックよりも外側に配設されている。シンチレータブロックおよびフォトマルチプライヤでγ線検出器を構成する。
【００１３】
放射性薬剤、すなわち放射性同位元素（ＲＩ）が投与された被検体から発生したγ線をシンチレータブロックが光に変換して、変換されたその光をフォトマルチプライヤが光電変換して電気信号に出力する。その電気信号を画像情報（画素）として画像処理部（図示省略）に送り込む。
【００１４】
具体的には、被検体に放射性薬剤を投与すると、ポジトロン放出型のＲＩのポジトロンが消滅することにより、複数本のγ線が発生する。画像処理部はシンチレータブロックの位置とγ線の入射タイミングとをチェックし、被検体を挟んで互いに対向位置にある２つのシンチレータブロックでγ線が同時に入射したときのみ、送り込まれた画像情報を適正なデータと判定する。一方のシンチレータブロックのみにγ線が入射したときには、画像処理部は、ポジトロンの消滅により生じたγ線ではなくノイズとして扱い、そのときに送り込まれた画像情報もノイズと判定してそれを棄却する。このようにして得られた画像情報は投影データであるので、その投影データを再構成して、被検体の体内でのγ線の吸収を考慮したＰＥＴ用の断層画像を求める。
【００１５】
ＣＴガントリ２０は、Ｘ線管およびＸ線検出器（いずれも図示省略）を囲んで構成されている。Ｘ線管およびＸ線検出器は、被検体を挟んで互いに対向配置されている。Ｘ線検出器を構成する多数個の検出素子は被検体の体軸周りに扇状に並ぶ。
【００１６】
互いに対向関係を維持させたままＸ線管とＸ線管検出器とをＣＴガントリ２０内で被検体の体軸周りに回転させる。Ｘ線管から照射されて被検体を透過したＸ線をＸ線検出器が検出して電気信号に出力する。この電気信号は画像情報（画素）であり、投影データでもある。この投影データを再構成して、被検体のＸ線ＣＴ用の断層画像を求める。
【００１７】
上述した構成を有するＰＥＴガントリ１０およびＣＴガントリ２０を組み合わせて互いに取り付けるために、図２に示すようにジョイントカバー３０を備えている。このジョイントカバー３０は、ＰＥＴガントリ１０とＣＴガントリ２０とにまたがって構成されている。具体的には、このジョイントカバー３０は、ＰＥＴ側にＰＥＴガントリ１０に嵌合するＰＥＴ用嵌合カバー３１と、ＣＴ側にＣＴガントリ２０に嵌合するＣＴ用嵌合カバー３２とを備えており、各嵌合カバー３１，３２が途中で互いに分岐するように構成されている。したがって、ＰＥＴガントリ１０とＣＴガントリ２０とを互いに密着させた状態で、ＰＥＴ用嵌合カバー３１をＰＥＴガントリ１０に嵌合するとともに、ＣＴ用嵌合カバー３２をＣＴガントリ２０に嵌合すれば、図１に示すように両ガントリ１０，２０が互いに取り付けられる。ジョイントカバー３０は、この発明におけるジョイントカバーに相当する。
【００１８】
次に、各ガントリ１０，２０およびジョイントカバー３０の具体的な構造について、図３〜図６を参照して説明する。図３（ａ）は、図２の部分Ａを拡大した概略図であり、図３（ｂ）は、図２の部分Ｂを拡大した概略図であり、図４は、ジョイントカバー３０に関する概略図であって、図４（ａ）は、図２のＣの矢視図であり、図４（ｂ）は、図２のＤの矢視図であり、図５（ａ）は、ＰＥＴ用支持部材３３の概略図であり、図５（ｂ）は、ＣＴ用支持部材３５の概略図であり、図６は、固定金具３４，３６の概略図である。
【００１９】
ＰＥＴガントリ１０は、図３（ａ）に示すように、複数のＰＥＴ用カバー１１を組み合わせて構成されており、水平方向に延出し、かつジョイントカバー３０を支持するＰＥＴ用支持棒１２と、ジョイントカバー３０を固定するＰＥＴ用取付金具１３とを備えている。ＰＥＴ用取付金具１３は、ＰＥＴ用カバー１１に直接的に配設されている。また、本実施例では、ＰＥＴ用支持棒１２は、ＰＥＴ用取付金具１３に直接的に配設されている。ＣＴガントリ２０は、図３（ｂ）に示すように、複数のＣＴ用カバー２１を組み合わせて構成されており、ＰＥＴ用支持棒１２と同様に水平方向に延出し、かつジョイントカバー３０を支持するＣＴ用支持棒２２と、ＰＥＴ用取付金具１３と同様にジョイントカバー３０を固定するＣＴ用取付金具２３とを備えている。ＣＴ用取付金具２３は、ＣＴ用カバー２１に直接的に配設されている。また、本実施例では、ＣＴ用支持棒２２は、ＣＴ用取付金具２３に直接的に配設されている。ＰＥＴ用支持棒１２およびＣＴ用支持棒２２は、この発明における第１支持部材に相当し、ＰＥＴ用取付金具１３およびＣＴ用取付金具２３は、この発明における第１固定部材に相当する。
【００２０】
ＰＥＴ用支持棒１２の配設位置において、ＰＥＴ用取付金具１３は上下方向の径が水平方向の径よりも長い長孔（図示省略）を有しており、この長孔にＰＥＴ用支持棒１２を挿入することで、ＰＥＴ用支持棒１２はＰＥＴ用取付金具１３に対して上下方向に動く。ＰＥＴ用支持棒１２がＰＥＴ用取付金具１３に対して上下方向に動くことで、ＰＥＴ用支持棒１２は、ＰＥＴ用取付金具１３を配設したＰＥＴ用カバー１１、さらにはＰＥＴガントリ１０本体に対して上下方向に動く（図３（ａ）および図７（ｂ）を参照）。
【００２１】
同様に、ＣＴ用支持棒２２の配設位置においても、ＣＴ用取付金具２３は上下方向の径が水平方向の径よりも長い長孔（図示省略）を有しており、この長孔にＣＴ用支持棒２２を挿入することで、ＣＴ用支持棒２２はＣＴ用取付金具２３に対して上下方向に動く。ＣＴ用支持棒２２がＣＴ用取付金具２３に対して上下方向に動くことで、ＣＴ用支持棒２２は、ＣＴ用取付金具２３を配設したＣＴ用カバー２１、さらにはＣＴガントリ２０本体に対して上下方向に動く（図３（ｂ）および図７（ｄ）を参照）。
【００２２】
ジョイントカバー３０は、図４（ａ）、図４（ｂ）に示すように、上述したＰＥＴ用嵌合カバー３１およびＣＴ用嵌合カバー３２で構成されている。ＰＥＴ用嵌合カバー３１には、上述したＰＥＴ用支持棒１２に接触し、かつＰＥＴ用支持棒１２の水平方向にスライド可能に構成された平板状のＰＥＴ用支持部材３３と、上述したＰＥＴ用取付金具１３の一部に嵌合可能に構成されたＰＥＴ用固定金具３４とを配設している。ＣＴ用嵌合カバー３２には、ＣＴ用支持棒２２に接触し、かつＣＴ用支持棒２２の水平方向にスライド可能に構成された平板状のＣＴ用支持部材３５と、上述したＣＴ用取付金具２３の一部に嵌合可能に構成されたＣＴ用固定金具３６とを配設している。ＰＥＴ用支持部材３３およびＣＴ用支持部材３５は、この発明における第２支持部材に相当し、ＰＥＴ用固定金具３４およびＣＴ用固定金具３６は、この発明における第２固定部材に相当する。
【００２３】
ＰＥＴ用支持部材３３は、図５（ａ）に示すように、ＰＥＴ用嵌合カバー３１（図２、図４を参照）の内壁面に沿って配設されるように、板金を複数箇所に屈曲して形成されている。ＣＴ用支持部材３５も、図５（ｂ）に示すように、ＣＴ用嵌合カバー３２（図２、図４を参照）の内壁面に沿って配設されるように、板金を複数箇所に屈曲して形成されている。両支持部材３３，３５の先端は、各嵌合カバー３１，３２から垂設されて屈曲形成されており、取り付け時において各先端が各支持棒１２，２２に接触されてスライド移動可能になる（図７（ａ）、図７（ｃ）を参照）。
【００２４】
本実施例では、ＰＥＴ用固定金具３４およびＣＴ用固定金具３６は、同一の金具を使用しており、その形状は、図６に示すとおりである。両固定金具３４，３６は、各取付金具１３，２３の嵌合位置での形状に合わせて屈曲して形成されている。各固定金具３４，３６の両端は、図４（ａ）、図４（ｂ）に示すように、各嵌合カバー３１，３２の内壁面に沿って接触して配設される。
【００２５】
次に、取り付け時における具体的な手法について、図７を参照して説明する。図７（ａ）、図７（ｂ）に示すようにＰＥＴ用支持部材３３をＰＥＴ用支持棒１２に接触させるとともに、図７（ｃ）,図７（ｄ）に示すようにＣＴ用支持部材３５をＣＴ用支持棒２２に接触させることで両支持棒１２，２２はジョイントカバー３０本体を支持し、両支持棒１２，２２がジョイントカバー３０本体を支持した状態で各固定金具３４，３６を各取付金具１３，２３にそれぞれ嵌合させることで両取付金具１３，２３はジョイントカバー３０本体を固定して、固定されたジョイントカバー３０によって両ガントリ１０，２０を互いに取り付ける。具体的には、ジョイントカバー３０のうち、ＰＥＴ用嵌合カバー３１はＰＥＴガントリ１０に嵌合するとともに、ＣＴ用嵌合カバー３２はＣＴガントリ２０に嵌合することで、両ガントリ１０，２０を互いに取り付ける。
【００２６】
なお、図７（ａ）に示すようにＰＥＴ用支持部材３３をＰＥＴ用支持棒１２に接触させてスライドさせる際に、ＰＥＴ用支持部材３３がＰＥＴ用支持棒１２の先端で留まるように支持棒１２の径よりも長い径を有するストッパ１４を支持棒１２の先端に備える。同様に、図７（ｃ）に示すようにＣＴ用支持部材３５をＣＴ用支持棒２２に接触させてスライドさせる際に、ＣＴ用支持部材３５がＣＴ用支持棒２２の先端で留まるように支持棒２２の径よりも長い径を有するストッパ２４を支持棒１２の先端に備える。
【００２７】
もし、ＰＥＴ用支持部材３３をＰＥＴ用支持棒１２に接触させる、あるいはＣＴ用支持部材３５をＣＴ用支持棒２２に接触させる際に、ジョイントカバー３０の各ガントリ１０，２０への取り付け位置が合わない、あるいは一方のガントリ１０，２０の支持棒１２，２２の接触位置が合わないなどのように取り付け調整に支障を来たす場合には、各支持棒１２，２２を各ガントリ１０，２０本体に対して上下方向に調整して、取り付け調整を行う。
【００２８】
例えば、図７（ｂ）に示すように上あるいは下方向にＰＥＴ用支持棒１２を動かすと、それに伴って支持棒１２に接触されたＰＥＴ用支持部材３３も上あるいは下方向に移動して、ＰＥＴ用支持部材３３を配設したＰＥＴ用嵌合カバー３１、ひいてはジョイントカバー３０も上あるいは下方向に移動する。また、図７（ｄ）に示すようにＣＴ用支持棒２２を動かすと、それに伴って支持棒２２に接触されたＣＴ用支持部材３５も上あるいは下方向に移動して、ＣＴ用支持部材３５を配設したＰＥＴ用嵌合カバー３２、ひいてはジョイントカバー３０も上あるいは下方向に移動する。両固定金具３４，３６が両取付金具１３，２３に嵌合されるように、各支持棒１２，２２の上下方向の調整で行い、その調整で両嵌合カバー３１，３２は両ガントリ１０，２０にそれぞれ嵌合される。
【００２９】
両支持棒１２，２２に対する上下方向の調整を行った後に、図７（ａ）に示すようにＰＥＴ用支持部材３３をＰＥＴ用支持棒１２に接触させてスライドさせるとともに、図７（ｃ）に示すようにＣＴ用支持部材３５をＣＴ用支持棒２２に接触させてスライドさせ、ジョイントカバー３０によって両ガントリ１０，２０を互いに取り付ける。この調整後の取り付け時には、各支持部材３３，３５が各支持棒１２，２２に接触されて上下方向に関して固定されているので、ジョイントカバー３０や各ガントリ１０，２０を押さえて固定する必要はなく、固定した状態で取り付けることができる。その結果、両ガントリ１０，２０を容易に取り付けることができる。
【００３０】
この発明は、上記実施形態に限られることはなく、下記のように変形実施することができる。
【００３１】
（１）上述した実施例では、ＰＥＴを例に採って説明したが、この発明は、単一のγ線を検出して被検体の断層画像を再構成するＳＰＥＣＴ（Single Photon Emission CT）にも適用できる。
【００３２】
（２）上述した実施例では、放射性薬剤が投与された被検体から発生したγ線に基づいて核医学用の診断を行ったが、放射性薬剤と同じγ線を被検体に照射するライン線源を備え、そのγ線を検出してトランスミッションデータ（吸収補正データ）を得て、そのトランスミッションデータに基づいて、放射性薬剤が投与された被検体から発生したγ線を検出して得られたデータ（エミッションデータ）の吸収補正を行う場合にも、この発明は適用できる。
【００３３】
（３）上述した実施例では、ＣＴガントリ２０でＸ線ＣＴの断層撮像を行った後にＰＥＴガントリ１０で核医学用の診断を行うために、図２に示す位置にＰＥＴガントリ１０とＣＴガントリ２０とを並べたが、ＰＥＴガントリ１０で核医学用の診断を行った後にＣＴガントリ２０でＸ線ＣＴの断層撮像を行えるように、図２に示すＰＥＴガントリ１０とＣＴガントリ２０との位置を逆転させてもよい。
【００３４】
（４）上述した実施例では、この発明における第１支持部材は、ＰＥＴ用支持棒１２およびＣＴ用支持棒２２のように棒状の部材であったが、形状については特に限定されない。例えば、ＰＥＴ用支持部材３３やＣＴ用支持部材３５のように平板状であってもよい。また、この発明における第２支持部材は、ＰＥＴ用支持部材３３およびＣＴ用支持部材３５のように平板状の部材（板金）であったが、形状については特に限定されない。例えば、ＰＥＴ用支持棒１２やＣＴ用支持棒２２のように棒状であってもよい。
【００３５】
（５）上述した実施例では、ＰＥＴ用支持棒１２およびＣＴ用支持棒２２に代表される第１支持部材を各ガントリ１０，２０本体に対して上下方向に調整可能にそれぞれ配設するのに、各支持棒１２，２２を各取付金具１３，２３に直接的にそれぞれ配設したが、各取付金具１３，２３に嵌合される各固定金具３４，３６の位置によって、各支持棒１２，２２と取付金具１３，２３との配設位置が互いに離れる場合には、各支持棒１２，２２をＰＥＴ／ＣＴ用カバー１１，１２に直接的に配設してもよいし、取付金具１３，２３以外の部材をＰＥＴ／ＣＴ用カバー１１，１２に直接的に配設して、その部材に各支持棒１２，２２を直接的に配設してもよい。
【図面の簡単な説明】
【００３６】
【図１】実施例に係る診断装置の概略斜視図である。
【図２】図１の分解斜視図である。
【図３】（ａ）は図２の部分Ａを拡大した概略図であり、（ｂ）は図２の部分Ｂを拡大した概略図である。
【図４】ジョイントカバーに関する概略図であって、（ａ）は図２のＣの矢視図であり、（ｂ）は図２のＤの矢視図である。
【図５】（ａ）はＰＥＴ用支持部材の概略図であり、（ｂ）はＣＴ用支持部材の概略図である。
【図６】固定金具の概略図である。
【図７】（ａ）〜（ｄ）は取り付け時における各支持棒および支持部材を模式的に示した側面図である。
【図８】（ａ）、（ｂ）は従来の診断装置の概略側面図である。
【符号の説明】
【００３７】
１０  …  ＰＥＴガントリ
１２  …  ＰＥＴ用支持棒
１３  …  ＰＥＴ用取付金具
２０  …  ＣＴガントリ
２２  …  ＣＴ用支持棒
２３  …  ＣＴ用取付金具
３０  …  ジョイントカバー
３３  …  ＰＥＴ用支持部材
３４  …  ＰＥＴ用固定金具
３５  …  ＣＴ用支持部材
３６  …  ＣＴ用固定金具
【図１】
0004806979.tif 000002
【図２】
0004806979.tif 000003
【図３】
0004806979.tif 000004
【図４】
0004806979.tif 000005
【図５】
0004806979.tif 000006
【図６】
0004806979.tif 000007
【図７】
0004806979.tif 000008
【図８】
0004806979.tif 000009